(57)【要約】【課題】遠隔地に設置されたＣＡＴＶ等の同軸ケーブルにより伝送された高周波信号の系統の切換を、特別なソフト必要とせずにブラウザを搭載した端末であれば遠隔地の同軸スイッチを制御操作することができるネットワーク対応同軸スイッチシステムを提供する。【解決手段】ネットワーク１に接続され表示部を備えブラウザプログラムを搭載した操作端末１０と、ネットワーク１に接続され、外部から入力され切換情報に応じて高周波リレーを制御するための制御信号を生成する制御部２３、制御部２３で実行するプログラム等を記憶するメモリ部２２、ＣＯＭ端子２７、ＬＩＮＥ端子２６、高周波ラインを切換する高周波リレー２５および商用電源ＡＣから制御部２３の動作電源や高周波リレー２５の動作電源を作成する電源回路部２４とを備えるネットワーク対応同軸スイッチ２０からなる。【選択図】図１
2006261733.tif 000002
【特許請求の範囲】
【請求項１】
ネットワークと、前記ネットワークに接続され表示部を備えブラウザプログラムを搭載した操作端末と、前記ネットワークに接続され、高周波信号を切換できる高周波リレーを有するネットワーク対応同軸スイッチとを有するネットワーク対応同軸スイッチシステム。
【請求項２】
ネットワーク対応同軸スイッチが、外部から入力され切換情報に応じて高周波リレーを制御するための制御信号を生成する制御部と、その制御部で実行するプログラム等を記憶するメモリ部と、ＣＯＭ端子と、ＬＩＮＥ端子と、高周波ラインを切換する高周波リレーと、商用電源ＡＣから制御部の動作電源や高周波リレーの動作電源を作成する電源回路部とを備える請求項１記載のネットワーク対応同軸スイッチシステム。
【発明の詳細な説明】
【技術分野】
【０００１】
本発明は、遠隔地に設置されたＣＡＴＶ等の同軸ケーブルにより伝送された高周波信号の系統の切換を行うネットワーク対応同軸スイッチシステムに関するものである。
【背景技術】
【０００２】
従来、遠隔地の同軸スイッチを制御する場合、Ｉ／Ｏポートを備えた制御端末と同軸スイッチとを接続し、専用の制御プログラムを格納した操作端末を用いている。
【０００３】
また、インターネットを介して同軸スイッチを操作するには、リモートディスクトップ機能等のリモート操作プログラムを制御端末と操作端末にそれぞれ格納しリモート操作機能によりネットワークを介して、制御端末のプログラムを操作することによって遠隔地の同軸スイッチを操作する方法がある。
【０００４】
上記いずれの場合も、同軸スイッチの制御には専用のプログラムを格納したＰＣ等の操作端末が必要である。
【特許文献１】特開平２−１５２３４９号公報
【発明の開示】
【発明が解決しようとする課題】
【０００５】
このような従来の方法では、制御端末と操作端末の両者にリモートディスクトップ機能等のリモート操作プログラムを格納するか、若しくはリモートディスクトップ機能を搭載した高価な基本ソフトウェアを搭載した端末を使用する必要があり、また、操作端末が複数に及ぶ場合は、そのすべてに前記遠隔操作機能を搭載する必要があり非常にコストが大きい。
【０００６】
本発明はこのような問題を解消し、近年登場してきたブラウザ機能によりインターネットＷｅｂサーバへアクセス機能を搭載した携帯電話や、基本ソフトウェアに搭載されている一般的なブラウザプログラムによりインターネットを介して遠隔地の同軸系統を切換えるシステムの提供を目的とするものである。
【課題を解決するための手段】
【０００７】
上記課題を解決するために、本発明はネットワークと、前記ネットワークに接続され表示部を備えブラウザプログラムを搭載した操作端末と、前記ネットワークに接続され、高周波信号を切換できる高周波リレーを有するネットワーク対応同軸スイッチとを有するものである。
【発明の効果】
【０００８】
上記構成によれば、本発明は遠隔地に設置されたＣＡＴＶ等の同軸ケーブルにより伝送された高周波信号の系統の切換を、特別なソフト必要とせずにブラウザを搭載した端末であれば遠隔地の同軸スイッチを制御操作することができる。
【発明を実施するための最良の形態】
【０００９】
本発明は、ネットワークと、前記ネットワークに接続され表示部を備えブラウザプログラムを搭載した操作端末と、前記ネットワークに接続され、高周波信号を切換できる高周波リレーを有するネットワーク対応同軸スイッチとを有するものである。
【００１０】
この構成により、本発明は遠隔地に設置されたＣＡＴＶ等の同軸ケーブルにより伝送された高周波信号の系統の切換を、特別なソフト必要とせずにブラウザを搭載した端末であれば遠隔地の同軸スイッチを制御操作することができる。
【００１１】
また、本発明におけるネットワーク対応同軸スイッチシステムを構成するネットワーク対応同軸スイッチは、外部から入力され切換情報に応じて高周波リレーを制御するための制御信号を生成する制御部と、その制御部で実行するプログラム等を記憶するメモリ部と、ＣＯＭ端子と、ＬＩＮＥ端子と、高周波ラインを切換する高周波リレーと、商用電源ＡＣから制御部の動作電源や高周波リレーの動作電源を作成する電源回路部とを備える。
【実施例】
【００１２】
以下、図１に示すように、本発明の一実施例におけるネットワーク対応同軸スイッチシステムは、ネットワーク１と、ネットワーク１に接続され表示部を備えブラウザプログラムを搭載した操作端末１０と、ネットワーク１に接続され、高周波信号を切換できる高周波リレー２５を有するネットワーク対応同軸スイッチ２０とで構成される。
【００１３】
ネットワーク対応同軸スイッチ２０は、ＣＰＵを主構成要素とするマイクロコンピュータからなり外部から入力され切換情報に応じて高周波リレーを制御するための制御信号を生成する制御部２３と、制御部２３で実行するプログラム等を記憶するメモリ部２２と、ＣＯＭ端子２７とＬＩＮＥ端子２６と、高周波ラインを切換する高周波リレー２５と、商用電源ＡＣから制御部２３の動作電源や高周波リレー２５の動作電源を作成する電源回路部２４とを備える。
【００１４】
通信インタフェース２１は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）に準拠し、１０ＢＡＳＥ−Ｔや１００ＢＡＳＥ−ＴなどのＥｔｈｅｒｎｅｔ（登録商標）のLANケーブルとして広く用いられているツイストペアケーブルのコネクターであるＲＪ−４５規格のモジュラプラグとの接続を可能にするモジュラジャック２９を設けており、ネットワーク１に接続されたＬＡＮケーブルとの接続によりネットワークと接続される。
【００１５】
メモリ部２２は、フラッシュメモリ２２ａとＲＡＭ２２ｂとで構成され、フラッシュメモリ２２ａは、制御部２３が通信インタフェース２１を制御するためのドライバや、ＴＣＰ（Ｔｒａｎｓｍｉｓｓｉｎｏｎ  Ｃｏｎｔｒｏｌ  Ｐｒｏｔｏｃｏｌ）、ＩＰ（Ｉｎｔｅｒｎｅｔ  Ｐｒｏｔｏｃｏｌ）  ＵＤＰ（Ｕｓｅｒ  Ｄａｔａｇｒａｍ  Ｐｒｏｔｏｃｏｌ）、ＩＣＭＰ（Ｉｎｔｅｒｎｅｔ  Ｃｏｎｔｏｒｏｌ  Ｍｅｓｓａｇｅ  Ｐｒｏｔｏｃｏｌ）、ＳＭＴＰ（Ｓｉｍｐｌｅ  Ｍａｉｌ  Ｔｒａｎｓｆｅｒ  Ｐｒｏｔｏｃｏｌ）、Ｔｅｌｎｅｔ、ＨＴＴＰ（Ｈｙｐｅｒｔｅｘｔ  Ｔｒａｎｓｆｅｒ  Ｐｒｏｔｏｃｏｌ）、ＳＮＭＰ（Ｓｉｍｐｌｅ  Ｎｅｔｗｏｒｋ  Ｍａｎｅｇｅｍｅｎｔ  Ｐｒｏｔｏｃｏｌ）などのＴＣＰ／ＩＰ通信におけるプロトコルスタック、並びに制御用のプログラム、および操作端末１０の表示部に表示させる各種画面のデータと、予め登録されたＣＯＭ端子２７、ＬＩＮＥ端子２６ごとの情報（接続先、信号の種類など）と、ネットワーク対応同軸スイッチにアクセスする権限を有するものに対してあらかじめ付与されたユーザＩＤとパスワードなどが書き換え可能なフラッシュメモリ２２aに格納される。ＲＡＭ２３は制御部２３が動作する際の作業領域として使用される。
【００１６】
制御部２３は、メモリ部２２に記憶された制御プログラムを実行することで制御信号の生成を含む各種の処理を行う。
【００１７】
高周波リレー２５は、Ｃ接点であり、固定接点の常閉接点と常開接点と、可動接点で導電部が共通の接点とで構成され、作動させると常開接点と常閉接点が同時に動作する。
【００１８】
例えば、図１は、無励磁状態の構成の一例である。常閉接点は、ＬＩＮＥ端子２６ａに接続され、常開接点は、ＬＩＮＥ２端子２６ｂに接続される。
【００１９】
また、可動接点で導電部が共通の接点はＣＯＭ端子２７と接続される。また、制御部２３では、外部からＬＩＮＥ端子２６ｂへの切換情報が入力された場合、制御信号を生成し（ＨレベルとＬレベルを切換え）、生成した制御信号を高周波リレー２５に出力する。
【００２０】
この場合、制御信号がＨレベルの間はリレー巻線が励磁されて接点を開成し、ＣＯＭ端子２７とＬＩＮＥ端子２６ｂとを接続し、制御信号がＬレベルの間はリレー巻線が励磁されずに接点を閉成しＣＯＭ端子２７とＬＩＮＥ端子２６ａとを接続する。また、高周波リレーを多段接続してもよい。
【００２１】
次に多段接続時の一例を示す。図２では各高周波リレーのコイルは、無励磁状態でありＣＯＭ端子２７はＬＩＮＥ端子２６ａと接続されている。
【００２２】
このような回路構成の場合、高周波リレー２５ｂのコイルを励磁することによりＣＯＭ端子２７は、ＬＩＮＥ端子２６ｂと接続される。
【００２３】
また、高周波リレー２５ａのコイルを励磁することにより、ＣＯＭ端子２７とＬＩＮＥ端子２６ｃとが接続される。
【００２４】
また、高周波リレー２５ａと２５ｃのコイルの励磁を同時に行うことによりＣＯＭ端子２７とＬＩＮＥ端子２６ｄとが接続される。
【００２５】
このように高周波リレー２５を多段接続し、制御部２３により独立したＨレベルの制御信号を各高周波リレー２５のコイル部へ出力することにより、ＣＯＭ端子２７は、任意のＬＩＮＥ端子２６と切換接続することができる。高周波リレー２５の接続段数およびＬＩＮＥ端子の数などは使用用途等により構成してよい。
【００２６】
次に、それぞれのＬＩＮＥ端子２６から高周波信号を入力する場合に、ＣＯＭ端子２７と未接続のＬＩＮＥ端子のインピーダンス不整合により発生する反射波を防止する回路の一例を図３に示す。
【００２７】
ＬＩＮＥ端子２６ａ、２６ｂは、同軸ケーブルにより高周波信号をそれぞれ入力する。ＣＯＭ端子２７は、同軸ケーブルにより高周波機器等と接続し、それぞれのＬＩＮＥ端子２６ａ、２６ｂにより入力された高周波信号を接点切換により出力する。
【００２８】
図３では、各高周波リレー巻線が無励磁状態では、ＣＯＭ端子２７は、ＬＩＮＥ端子２６ａと接続され、ＬＩＮＥ端子２６ａから入力する高周波信号を出力する。ＬＩＮＥ端子２６ｂは終端抵抗２８ｂに接続される。
【００２９】
この終端抵抗２８ａ、２８ｂは、ＬＩＮＥ端子２６ａ、２６ｂにより入力される高周波信号がインピーダンス不整合により発生する反射波を防止するためのものである。次に、それぞれの高周波リレー２５ａ〜２５ｃは、制御部２３により生成されたＨレベルの制御信号によりコイル部が励磁され、接点が作動し、ＣＯＭ端子２７は、ＬＩＮＥ端子２６ｂと接続される。また同時に、ＬＩＮＥ端子２６ａは、終端抵抗２８ａと接続され、反射波の発生を防止する。
【００３０】
このよう様な回路構成とした場合、切換操作によりＣＯＭ端子２７と接続されていない片方のＬＩＮＥ端子２６ａまたは２６ｂを、終端抵抗２８ａまたは２８ｂと接続することにより反射波の発生を防止することができる。
【００３１】
終端抵抗値については、ネットワーク対応同軸スイッチの使用用途やシステムのインピーダンスに対応した値でよい。また、高周波の反射波については、従来周知であるから説明を省略する。
【００３２】
リレー巻線を励磁するための動作電源が図１に示す電源回路部２４より供給される。電源回路部２４は、例えば１００Ｖの商用交流電源を降圧し整流平滑並びに安定化することで制御部２３や通信インタフェース２１と、高周波リレー２５の動作電源とを作成する。
【００３３】
図４は、ネットワーク対応同軸スイッチ２０の概観斜視図を示している。ネットワーク対応同軸スイッチは、内部に上記各部（通信インタフェース２１〜高周波リレー２５）を実装したプリント配線基板を収納する箱型のハウジングを備えており、ハウジング２０ａの背面には、ネットワークに接続されたＬＡＮケーブルとの接続を可能にするＲＪ−４５規格のモジュラプラグ２９が設けられ、ＬＩＮＥ端子２６とＣＯＭ端子２７は、同軸ケーブルに広く用いられるジャック型コネクター端子が設けられており、端末にプラグ型コネクターを有する同軸ケーブルが接続される。
【００３４】
図４では、Ｆ型接線を示しているが、Ｆ型に限定されるものでなく、使用目的や、システムに使用するインピーダンスに応じて同軸ケーブル用のＮ型、Ｍ型、ＳＭＡ型などのコネクターのいずれでもよい。また、同軸ケーブルのシールドラインは、コネクター接続により各端子と共通接地される。また、電源回路部２４に電源を供給するための電源コードは、図示並びに説明を省略する。
【００３５】
ＬＩＮＥ端子２６およびＣＯＭ端子２７は、高周波信号を入出力することができ、例えば、ＣＡＴＶ信号や放送信号などの高周波を入出力する。また、ネットワーク対応同軸スイッチは、入出力方向を問わない高周波リレー２５により切換を行うため、信号の入出力方向は、システムの用途により変更できる。
【００３６】
例えば、ＣＯＭ端子２７から高周波信号を入力し複数のＬＩＮＥ端子のいずれかから切換制御により選択し出力することを目的とした操作と、それぞれのＬＩＮＥ端子から高周波信号を入力し、そのいずれかの高周波信号を選択により切換えてＣＯＭ端子２７へ出力することなど、用途に応じて入出力の方向を変更してよい。
【００３７】
操作端末１０は、有線または無線によりネットワークに接続されたＰＣでネットワーク対応同軸スイッチ２０の制御部１１と同様のプロトコルスタックを実装したオペレーティングシステムと一般的なブラウザプログラムを備え、ブラウザプログラムを実行することでネットワーク対応同軸スイッチ２０に切換情報を出力して遠隔制御し、高周波リレーの状態を監視することができる。
【００３８】
また、ネットワーク上のネットワーク対応同軸スイッチ２０には固有のネットワークアドレス（ＩＰアドレス）が割り当てられており、操作端末１０のブラウザプログラムからネットワーク上のネットワーク対応同軸スイッチ２０のＩＰアドレスにアクセスすると、ネットワーク対応同軸スイッチ２０の制御部２３がフラッシュメモリ２２ａに格納されている制御及び監視用のプログラムを実行し、制御及び監視用のＨＴＭＬ形式のデータをネットワーク経由で操作端末１０に送信する。
【００３９】
このＨＴＭＬ形式のデータは操作端末１０による高周波リレー２５の制御及び監視のためのインタフェースを提供するためのものであって、送信されてきたＨＴＭＬ形式のデータに基づいて操作端末１０の表示部に高周波リレー２５の制御状態等がＷＥＢブラウザ上で表示されるとともに、キーボードやマウスを操作して任意の切換情報はブラウザプログラムを介してネットワーク対応同軸スイッチ２０に送信することができる。
【００４０】
また、操作端末１０にて、ＳＮＭＰマネージャーとしてＳＮＭＰ用のプログラムと、ネットトーク対応同軸スイッチ２０の制御部２３でＳＮＭＰエージェント用のプログラムを実行することにより、操作端末１０でネットワーク対応同軸スイッチ２０の管理情報（高周波リレーにおけるオン・オフ制御の状態やオン・オフ制御の状態変化が生じた時刻など）をネットワーク経由で容易に取得することができる。なお、ＳＮＭＰを用いた管理機能については従来周知であるから詳細な説明を省略する。
【００４１】
また、本実施例において、制御及び監視用のデータは、ＨＴＭＬ形式のデータと記述したが、操作端末を携帯電話等の情報端末で切換制御を行う場合、情報端末サービスの種類に合わせて、Ｃｏｍｐａｃｔ  ＨＴＭＬやＨＤＭＬやＭＭＬやＷＭＬで記述してよい。ネットワーク対応同軸スイッチは、情報サービスの規格を同時にサポートする形態が望ましい。
【００４２】
また、高周波リレー２５を操作した場合に、通常の電子メールと同様にＳＭＴＰを使ってフラッシュメモリ２２ａに登録されている相手先のメールアドレスに、その操作結果を電子メールにより操作内容を通知することを可能とする。
【００４３】
次に図１に示す高周波リレーの構成でのシステム動作について図５を参照に説明する。
【００４４】
操作端末１０はブラウザプログラムの起動を行いブラウザプログラム上のＵＲＬを指定することによりネットワークを介してネットワーク対応同軸スイッチ２０へアクセスを行う。ここで操作端末１０からの所望のＵＲＬのアクセス操作は公知の方法を用いて行うことができるので説明は省略する（ステップ７１）。
【００４５】
ネットワーク対応同軸スイッチ２０は、アクセス元の操作端末１０に対してユーザＩＤパスワードを入力させるためのＨＴＭＬ形式のデータにより構成された認証画面の情報を送信する（ステップ７２）。
【００４６】
このＨＴＭＬ形式のデータを受信した操作端末１０はブラウザプログラムにより、操作端末の表示部に認証画面が表示され操作端末１０の操作によりＩＤとパスワードが入力される（ステップ７３、ステップ７４）とネットワーク対応同軸スイッチ２０は、入力されたＩＤとパスワードがあらかじめ付与され登録されているか否かを調べ、登録されていれば、同軸スイッチ切換画面の情報をＨＴＭＬ形式のデータにより送信する（ステップ７６）。
【００４７】
ＨＴＭＬ形式のデータを受信した操作端末１０は、図６に示すようにブラウザプログラムにより同軸スイッチ切換画面３０が表示され、同軸スイッチ切換画面３０は、切換ボタン３１ａ、３１ｂと切換識別表示部３２ａ、３２ｂと端子情報３３ａ〜３３ｃとで構成される。
【００４８】
この切換ボタンを３１ａ、３１ｂのいずれかを操作により選択することにより、ネットワーク対応同軸スイッチ２０に切換情報の送信を可能にする。切換系統識別表示部は、現在のＣＯＭ端子２７と接続されているＬＩＮＥ端子２６をランプ表示することにより識別させる。
【００４９】
端子情報３３ｃは、あらかじめ登録されたＣＯＭ端子２７とＬＩＮＥ端子２６ａとＬＩＮＥ端子２６ｂごとのケーブルの接続先や信号の種類などの情報を表示し系統を明確にするためのものである（ステップ７７）。
【００５０】
ここで例えば、操作端末１０は、ＬＩＮＥ２６ｂの切換ボタンをマウス等のポインタ操作により選択することにより、操作端末１０は、切換情報をネットワーク対応同軸スイッチへ送信する（ステップ７８）。
【００５１】
この情報を受信したネットワーク対応同軸スイッチ２０の制御部２３は、切換情報に対応した制御信号を生成し（この場合、Ｈレベル）、高周波リレー２５に出力し、リレー巻線が励磁されて接点を開成しＣＯＭ端子２７とＬＩＮＥ端子２６ｂとの接続をおこなう（ステップ８０）。
【００５２】
ネットワーク対応同軸スイッチ２０は、プログラムにより切換識別表示部３２のＨＴＭＬ形式のデータの変更を行い、操作端末１０へ再度同軸スイッチ切換画面のＨＴＭＬ形式のデータを送信する。この際、任意設定にて登録されたメールアドレスに操作結果を送信する。
【００５３】
操作端末１０は、ブラウザプログラムにより再度同軸スイッチ切換画面が表示され、切換識別表示部の変更により切換の結果を確認する（ステップ８１）。
【００５４】
このような構成により、本発明によれば、遠隔地に設置されたＣＡＴＶ等の同軸ケーブルにより伝送された高周波信号の系統の切換を特別なソフト必要とせずにブラウザを搭載した端末であれば遠隔地の同軸スイッチを制御操作することができる。
【産業上の利用可能性】
【００５５】
本発明は、ＣＡＴＶ事業におけるサービス向上を実現するシステムとして用いることができる。
【図面の簡単な説明】
【００５６】
【図１】本発明の一実施例におけるネットワーク対応同軸スイッチシステムの構成図
【図２】同要部回路図
【図３】同要部回路図
【図４】同ネットワーク対応同軸スイッチの斜視図
【図５】同動作説明図
【図６】同操作端末の表示部画面の正面図
【符号の説明】
【００５７】
１    ネットワーク
１０    操作端末
２０    ネットワーク対応同軸スイッチ
２１    通信インタフェース
２２    メモリ部
２３    制御部
２４    電源回路部
２５    高周波リレー
２５ａ〜２５ｃ    高周波リレー
２６ａ〜２６ｄ    ＬＩＮＥ端子
２７    ＣＯＭ端子
２８、２８ａ、２８ｂ    終端抵抗
３０    同軸スイッチ切換画面
【図１】
2006261733.tif 000003
【図２】
2006261733.tif 000004
【図３】
2006261733.tif 000005
【図４】
2006261733.tif 000006
【図５】
2006261733.tif 000007
【図６】
2006261733.tif 000008